(57)【要約】      （修正有）【課題】携帯端末のアプリケーションソフトを用いて暗証番号入力を行ない、電気錠を解錠することができる電気錠システムを提供する。【解決手段】電気錠制御部１３１は、電気錠１４ａを解錠するための識別データを記憶する第１の記憶部１３２ａを有し、携帯端末１６は、データ送受信部１５との無線伝送路が確立されると動作可能となる電気錠１４ａを解錠するための暗証番号入力等の解錠操作を行なう操作部１６１を有し、操作部１６１から入力された暗証番号等の識別データがデータ送受信部１５を介して電気錠制御部１３１にて受信され、電気錠制御部１３１の第１の記憶部１３２ａに記憶された識別データと照合して一致したとき、電気錠１４ａの解錠をおこなう。【選択図】図１
2011094292.tif 000002
【特許請求の範囲】
【請求項１】
出入り口に設けられる電気錠が組み込まれたドアと、前記電気錠の施解錠を制御する電気錠制御部と、居住者が所持する携帯端末と、前記出入り口近傍に設置され、前記携帯端末の存在を無線で認識するとともにデータの送受信をおこなうためのデータ送受信部と、から構成される電気錠システムであって、
前記電気錠制御部には、電気錠を解錠するための識別データを記憶する第１の記憶部を有し、
前記携帯端末には、前記データ送受信部との無線伝送路が確立されると動作可能となる前記電気錠を解錠するための暗証番号入力等の解錠操作を行なう操作部を有し、
前記操作部から入力された暗証番号等の識別データが前記データ送受信部を介して前記電気錠制御部にて受信され、当該電気錠制御部の前記第１の記憶部に記憶された識別データと照合して一致したとき、前記電気錠の解錠をおこなうことを特徴とする電気錠システム。
【請求項２】
前記送受信部は、前記携帯端末の通話に用いる第１の無線通信方式と異なる、無線ＬＡＮ、ＲＦＩＤ等の第２の無線通信方式を用いて前記携帯端末と通信することを特徴とする請求項１記載の電気錠システム。
【請求項３】
前記電気錠制御部は、携帯端末のＩＤ等の識別符号を記憶する第２の記憶部を有し、前記データ送受信部が前記携帯端末を検知した際に、当該携帯端末から送信される識別符号が前記第２の記憶部に記憶された識別符号と照合して一致し、かつ当該携帯端末から送信される識別データが前記第１の記憶部に記憶され他識別データと照合して一致した場合のみ前記電気錠を解錠することを特徴とする請求項１又は２記載の電気錠システム。
【請求項４】
前記電気錠制御部は、携帯端末のＩＤ等の識別符号を記憶する第２の記憶部を有し、前記データ送受信部が前記携帯端末を検知した際に、当該携帯端末から送信される識別符号が前記第２の記憶部に記憶された識別符号と照合して一致したとき、暗証番号入力等の解錠操作を行う前記操作部が動作可能となることを特徴とする請求項１又は２記載の電気錠システム。
【請求項５】
前記電気錠制御部は、前記ドアが閉扉された後に前記データ送受信部から前記携帯端末の識別符号を受信した場合には前記ドアを施錠することを特徴とする請求項１乃至請求項４記載何れか１項記載の電気錠システム。
【請求項６】
前記電気錠制御部には、インターホンの居室親機が、前記居室親機には出入り口付近に設置される玄関子機がそれぞれ接続され、
前記解錠時において前記居室親機及び前記玄関子機の少なくとも一つから施解錠確認音を鳴動することを特徴とする請求項１乃至請求項５何れか１項記載の電気錠システム。
【請求項７】
前記電気錠制御部には、インターホンの居室親機が、前記居室親機には出入り口付近に設置される玄関子機がそれぞれ接続され、
前記施錠時において前記居室親機及び前記玄関子機の少なくとも一つから施解錠確認音を鳴動することを特徴とする請求項５又は請求項６記載の電気錠システム。
【発明の詳細な説明】
【技術分野】
【０００１】
本発明は、電気錠システムに係り、特に携帯端末のアプリケーションソフトを用いて暗証番号入力を行ない、電気錠を解錠することができる電気錠システムに関する。
【背景技術】
【０００２】
従来から、電気錠システムとして、集合玄関に個人識別装置を設置する一方、各住戸内に住宅情報盤を設置する。住宅情報盤は、予めその住戸の住人の各々に対応した音を設定する。個人識別装置は、いずれかの住戸の住人が、個別ＩＤ情報が付与されたＩＤカードからの情報を識別し、予め登録された情報と一致したときには、電気錠を解錠させて、住戸の住宅情報盤に個人情報を送信する一方、住宅情報盤は、個人情報を受信したときには、その住人に対応して設定された音を出力する。
【先行技術文献】
【特許文献】
【０００３】
【特許文献１】特開２００２−１６７１４号
【発明の開示】
【発明が解決しようとする課題】
【０００４】
しかしながら、従来例の電気錠システムにおいては、個別ＩＤ情報が付与されたＩＤカードが盗まれてしまった場合に電気錠が自動的に解錠される虞があり、セキュリティ性が低下する問題があった。
【０００５】
本発明は、上述の難点を解消するためになされたもので、携帯端末等、常時携帯する暗証番号入力等の解錠操作が可能で、かつＩＤ管理を行なうことができる端末を用いて、暗証番号と端末ＩＤによる二重管理が可能な電気錠システムを提供することを目的としている。
【課題を解決するための手段】
【０００６】
上述の目的を達成するため、本発明の第１の態様である電気錠システムは、出入り口に設けられる電気錠が組み込まれたドアと、電気錠の施解錠を制御する電気錠制御部と、居住者が所持する携帯端末と、出入り口近傍に設置され、携帯端末の存在を無線で認識するとともにデータの送受信をおこなうためのデータ送受信部と、から構成される電気錠システムであって、電気錠制御部には、電気錠を解錠するための識別データを記憶する第１の記憶部を有し、携帯端末には、データ送受信部との無線伝送路が確立されると動作可能となる電気錠を解錠するための暗証番号入力等の解錠操作を行なう操作部を有し、操作部から入力された暗証番号等の識別データがデータ送受信部を介して電気錠制御部にて受信され、当該電気錠制御部の第１の記憶部に記憶された識別データと照合して一致したとき、電気錠の解錠をおこなうことを特徴とする。
【０００７】
また、本発明の第２の態様である電気錠システムは、請求項１において、送受信部は、携帯端末の通話に用いる第１の無線通信方式と異なる、無線ＬＡＮ、ＲＦＩＤ等の第２の無線通信方式を用いて携帯端末と通信することを特徴とする。
また、本発明の第３の態様である電気錠システムは、請求項１又は請求項２において、電気錠制御部は、携帯端末のＩＤ等の識別符号を記憶する第２の記憶部を有し、データ送受信部が携帯端末を検知した際に、当該携帯端末から送信される識別符号が第２の記憶部に記憶された識別符号と照合して一致し、かつ当該携帯端末から送信される識別データが第１の記憶部に記憶され他識別データと照合して一致した場合のみ電気錠を解錠することを特徴とする。
また、本発明の第４の態様である電気錠システムは、請求項１又は請求項２において、電気錠制御部は、携帯端末のＩＤ等の識別符号を記憶する第２の記憶部を有し、データ送受信部が携帯端末を検知した際に、当該携帯端末から送信される識別符号が第２の記憶部に記憶された識別符号と照合して一致したとき、暗証番号入力等の解錠操作を行う操作部が動作可能となることを特徴とする。
【０００８】
また、本発明の第５の態様である電気錠システムは、請求項１乃至請求項４何れかにおいて、電気錠制御部は、ドアが閉扉された後にデータ送受信部から携帯端末の識別符号を受信した場合にはドアを施錠することを特徴とする。
また、本発明の第６の態様である電気錠システムは、請求項１乃至請求項５何れかにおいて、電気錠制御部には、インターホンの居室親機が、居室親機には出入り口付近に設置される玄関子機がそれぞれ接続され、解錠時において居室親機及び玄関子機の少なくとも一つから施解錠確認音を鳴動することを特徴とする。
また、本発明の第７の態様である電気錠システムは、請求項１又は請求項２において、電気錠制御部には、インターホンの居室親機が、居室親機には出入り口付近に設置される玄関子機がそれぞれ接続され、施錠時において居室親機及び玄関子機の少なくとも一つから施解錠確認音を鳴動することを特徴とする。
【発明の効果】
【０００９】
請求項１の電気錠システムによれば、ドアの電気錠を携帯端末で暗証番号等の識別データを入力することにより解錠することができることにより、安全に電気錠を解錠することができる。
請求項２の電気錠システムによれば、携帯端末の基地局に依存せずに無線通信が可能となるため、ランニングコストが低減できる。
請求項３の電気錠システムによれば、携帯端末のＩＤ等の識別符号と暗証番号等の識別データの双方が一致したときのみ解錠することができるので二重のセキュリティが確保され、安全に電気錠を解錠することができる。
請求項４の電気錠システムによれば、携帯端末のＩＤ等の識別符号が一致したときのみ暗証番号等の識別データの入力を可能とするので、識別符号が一致しない限り識別データ入力ができないため、より安全に電気錠を解錠することができる。
請求項５の電気錠システムによれば、外出時に携帯端末を保持しているときに限り電気錠を施錠するため、確実に施錠されるとともに、携帯端末を保持していないときには施錠されないため、予期しない締め出しを防ぐことができる。
請求項６の電気錠システムによれば、解錠時にインターホンシステムを構成する居室親機か玄関子機の何れかで確認音を鳴動させることで解錠の確認ができるため、利便性が向上する。
請求項７の電気錠システムによれば、施錠時にインターホンシステムを構成する居室親機か玄関子機の何れかで確認音を鳴動させることで施錠の確認ができるため、利便性が向上する。
【図面の簡単な説明】
【００１０】
【図１】本発明の第１の実施例における電気錠システムの構成図及びブロック図である。
【図２】本発明の第２の実施例における電気錠システムの構成図及びブロック図である。
【発明を実施するための最良の形態】
【００１１】
以下、本発明の電気錠システムを適用した最良の実施の形態例について、図面を参照して説明する。
【００１２】
（実施例１）
図１は、本発明の第１の実施例による電気錠システムの構成を示すシステム構成図であり、集合住宅のエントランスに設置される集合玄関機１１と、各居室に設置される複数の居室親機１２と、電気錠１４ａを有するドア１４と、後述する携帯端末とデータの送受信をおこなうデータ送受信機１５と、集合玄関機１１、居室親機１２、電気錠１４ａ及びデータ送受信機１５をそれぞれ制御する制御機１３とから構成されている。
また、集合玄関機１１、居室親機１２、電気錠１４ａを有するドア１４、データ送受信機１５は制御機１３を介して接続されている。また、居住者は無線ＬＡＮ機能を内蔵した携帯端末１６を所持している。
ここで、集合玄関機１１は、居室親機１２からの音声を放音するスピーカ１１１を有し、制御機１３には、電気錠システムを制御する電気錠制御部１３１と、電気錠１４ａを解錠するための暗証番号等の識別データを記憶する第１の記憶部１３２ａと、携帯端末１６のＩＤ等の識別符号を記憶する第２の記憶部１３２ｂとを有し、携帯端末１６には暗証番号入力を行なって解錠操作を行なう操作部１６１と、携帯端末１６のＩＤ等の識別符号を記憶する記憶部１６２とを有している。
【００１３】
このように構成された集合住宅の電気錠システムについて、以下、動作を説明する。なお、以下に説明する無線通信においては、特に明示しない限り無線ＬＡＮ信号を使用している。
データ送受信機１５は、無線ＬＡＮの接続信号を、例えば１秒間隔で携帯端末１６の存在を問い合わせるために間欠送信する。
この状態において、居住者は、帰宅時に集合住宅のエントランスに進入するが、当該居住者が無線ＬＡＮ機能を内蔵した携帯端末１６を所持していた場合、携帯端末１６はデータ送受信機１５からの接続信号を受信して応答信号を送信する。
データ送受信機１５は、応答信号を受信すると制御機１３の制御部１３１に対して当該応答信号を送信する。
これを検出した制御部１３１は、データ送受信機１５を介して携帯端末１６に対してパスワード（識別データ）要求のためのアプリケーションソフトを起動するよう起動信号を送信する。
【００１４】
携帯端末１６は起動信号を受信すると解錠用のパスワードを入力するアプリケーションソフトを起動する。居住者が携帯端末のキーボード１６１から暗証番号を入力すると、携帯端末１６は自身のＩＤ等の識別符号及び入力された暗証番号をデータ送受信機１５に送信する。
データ送受信機１５は、受信した携帯端末１６のＩＤ及び暗証番号を制御機１３に送信し、制御部１３１にて受信される。制御部１３１は、受信したＩＤを第２の記憶部１３２ｂに記憶された識別符号と照合し、暗証番号を第１の記憶部１３２ａに記憶されたパスワードと照合し、双方が一致していれば電気錠１４ａ、集合玄関機１１及び居室親機１２に解錠信号を送信する。
これにより、集合玄関機１１のスピーカ１１１から解錠確認音が鳴動するとともに電気錠１４ａが解錠されドア１４が開き、居住者はエントランスから建物内に入ることができる。また、居室親機１２からも解錠確認音が鳴動するため、室内にいる人は居住者の帰宅を知ることも可能となる。
【００１５】
（実施例２）
なお、上記実施例において、以下のように動作させることも可能である。システム構成は同様であるため説明を省略する。
データ送受信機１５は、無線ＬＡＮの接続信号を、例えば１秒間隔で携帯端末１６の存在を問い合わせるために間欠送信する。
この状態において、居住者は、帰宅時に集合住宅のエントランスに進入するが、当該居住者が無線ＬＡＮ機能を内蔵した携帯端末１６を所持していた場合、携帯端末１６は送受信機１５からの接続信号を受信して記憶部１６２から自身のＩＤ等の識別符号を付加した応答信号を送信する。
データ送受信機１５は、応答信号を受信すると制御機１３の制御部１３１に対して当該応答信号を送信する。
【００１６】
これを検出した制御部１３１は、応答信号に付加された携帯端末１６の識別符号と第２の記憶部１３２ｂに予め記憶された識別符号と照合し、一致すれば、データ送受信機１５を介して携帯端末１６に対してパスワード（識別データ）要求のためのアプリケーションソフトを起動するよう起動信号を送信する。
携帯端末１６は起動信号を受信すると解錠用のパスワードを入力するアプリケーションソフトを起動する。居住者が携帯端末のキーボード１６１から暗証番号を入力すると、携帯端末１６は入力された暗証番号をデータ送受信機１５に送信する。
データ送受信機１５は、受信した携帯端末１６のＩＤ及び暗証番号を制御機１３に送信し、制御部１３１にて受信される。制御部１３１は、受信したパスワードを第１の記憶部１３２ａに記憶されたパスワードと照合し、一致していれば電気錠１４ａ、集合玄関機１１及び居室親機１２に解錠信号を送信する。
これにより、集合玄関機１１のスピーカ１１１から解錠確認音が鳴動するとともに電気錠１４ａが解錠されドア１４が開き、居住者はエントランスから建物内に入ることができる。また、居室親機１２からも解錠確認音が鳴動するため、室内にいる人は居住者の帰宅を知ることも可能となる。
【００１７】
（実施例３）
図２は、本発明の第２の実施例による電気錠システムの構成を示すシステム構成図であり、戸建住宅の玄関に設置される玄関子機３１と、各居室に設置される居室親機３２と、電気錠３４ａを有するドア３４と、後述する携帯端末とデータの送受信をおこなうデータ送受信機３５とから構成されている。
また、玄関子機３１、ドア３４、データ送受信機３５は居室親機３２を介して接続されている。また、居住者は無線ＬＡＮ機能を内蔵した携帯端末３６を所持している。
ここで、玄関子機３１は、居室親機３２からの音声を放音するスピーカ３１１を有し、居室親機３２には、電気錠システムを制御する制御部３２１と、電気錠１４ａを解錠するための暗証番号等の識別データを記憶する第１の記憶部３２２ａと、携帯端末１６のＩＤ等の識別符号を記憶する第２の記憶部３２２ｂとを有し、携帯端末３６には暗証番号入力を行なって解錠操作を行なう操作部３６１と、携帯端末３６のＩＤ等の識別符号を記憶する記憶部３６２を有している。
【００１８】
このように構成された戸建住宅の電気錠システムについて、以下、動作を説明する。なお、以下に説明する無線通信においては、特に明示しない限り無線ＬＡＮ信号を使用している。
データ送受信機３５は、無線ＬＡＮの接続信号を、例えば１秒間隔で携帯端末３６の存在を問い合わせるために間欠送信する。
この状態において、居住者は、帰宅時にドア付近に進入するが、当該居住者が無線ＬＡＮ機能を内蔵した携帯端末３６を所持していた場合、携帯端末３６はデータ送受信機３５からの接続信号を受信して応答信号を送信する。
データ送受信機３５は、応答信号を受信すると居室親機３２の制御部３２１に対して当該応答信号を送信する。
【００１９】
これを検出した制御部３２１は、データ送受信機３５を介して携帯端末３６に対してパスワード（識別データ）要求のためのアプリケーションソフトを起動するよう起動信号を送信する。
携帯端末３６は起動信号を受信すると解錠用のパスワードを入力するアプリケーションソフトを起動する。居住者が携帯端末のキーボード３６１から暗証番号を入力すると、携帯端末３６は自身のＩＤ等の識別符号及び入力された暗証番号をデータ送受信機３５に送信する。
データ送受信機３５は、受信した携帯端末３６のＩＤ及び暗証番号を居室親機３２に送信し、制御部３２１にて受信される。制御部３２１は、受信したＩＤを第２の記憶部３２２ｂに記憶された識別符号と照合し、暗証番号を第１の記憶部３２２ａに記憶されたパスワードと照合し、双方が一致していれば電気錠３４ａ及び玄関子機３１に解錠信号を送信する。
これにより、玄関子機３１のスピーカ３１１から解錠確認音が鳴動するとともに電気錠３４ａが解錠されドア３４が開き、居住者はエントランスから建物内に入ることができる。また、居室親機３２からも解錠確認音が鳴動するため、室内にいる人は居住者の帰宅を知ることも可能となる。
【００２０】
（実施例４）
なお、上記実施例において、以下のように動作させることも可能である。システム構成は実施例３と同様であるため説明を省略する。
データ送受信機３５は、無線ＬＡＮの接続信号を、例えば１秒間隔で携帯端末３６の存在を問い合わせるために間欠送信する。
この状態において、居住者は、帰宅時にドア付近に進入するが、当該居住者が無線ＬＡＮ機能を内蔵した携帯端末３６を所持していた場合、携帯端末３６は送受信機３５からの接続信号を受信して記憶部３６２から自身のＩＤ等の識別符号を付加した応答信号を送信する。
データ送受信機３５は、応答信号を受信すると居室親機３２の制御部３２１に対して当該応答信号を送信する。
【００２１】
これを検出した制御部３２１は、応答信号に付加された携帯端末３６の識別符号と第２の記憶部３２２ｂに予め記憶された識別符号と照合し、一致すれば、データ送受信機３５を介して携帯端末３６に対してパスワード（識別データ）要求のためのアプリケーションソフトを起動するよう起動信号を送信する。
携帯端末３６は起動信号を受信すると解錠用のパスワードを入力するアプリケーションソフトを起動する。居住者が携帯端末のキーボード３６１から暗証番号を入力すると、携帯端末３６は入力された暗証番号をデータ送受信機３５に送信する。
データ送受信機３５は、受信した携帯端末３６のＩＤ及び暗証番号を居室親機３２に送信し、制御部３２１にて受信される。制御部３２１は、受信したパスワードを第１の記憶部３２２ａに記憶されたパスワードと照合し、一致していれば電気錠３４ａ、玄関子機３１に解錠信号を送信する。
これにより、玄関子機３１のスピーカ３１１から解錠確認音が鳴動するとともに電気錠３４ａが解錠されドア３４が開き、居住者はエントランスから建物内に入ることができる。また、居室親機３２からも解錠確認音が鳴動するため、室内にいる人は居住者の帰宅を知ることも可能となる。
【００２２】
（実施例５）
次に居住者が外出する場合について説明する。以下、実施例では図２を用いて説明することとする。
データ送受信機３５は、無線ＬＡＮの接続信号を、例えば１秒間隔で携帯端末３６の存在を問い合わせるために送信する。
外出時に、居住者は玄関のドア３４付近にあるデータ送受信部３５を通過し、当該居住者が無線ＬＡＮ機能を内蔵した携帯端末３６を所持していた場合、携帯端末３６は送受信機３５からの信号を受信して応答信号を送信する。
【００２３】
居室親機３２の制御部３２１は、玄関の電気錠３４ａが解錠されてから一定時間内（例えば３０秒）にデータ送受信機３５を介して携帯端末３６からの応答信号を受信すると、携帯端末３６を所持した居住者が外出したと認識し、ドア３４の電気錠３４ａを施錠するための施錠信号を電気錠３４ａに送信し、施錠がおこなわれる。これと同時に、施錠信号は玄関子機３１にも送信され、玄関子機３１のスピーカ３１１又は居室親機３２から施錠確認音を鳴動させることもできる。これにより、外出時において施錠を確認することができる。
【符号の説明】
【００２４】
１１・・・         集合玄関機
１１１・・・     スピーカ
１２・・・         居室親機
１３・・・         制御機
１３１・・・     制御部
１３２ａ・・・   第１の記憶部
１３２ｂ・・・   第２の記憶部
１４・・・         ドア
１４ａ・・・     電気錠
１５・・・         データ送受信部（データ送受信機）
１６・・・         携帯端末
１６１・・・     操作部
１６２・・・     記憶部
３１・・・         玄関子機
３１１・・・     スピーカ
３２・・・         居室親機
３２１・・・     制御部
３２２ａ・・・   第１の記憶部
３２２ｂ・・・   第２の記憶部
３４・・・         ドア
３４ａ・・・     電気錠
３５・・・         データ送受信部（データ送受信機）
３６・・・         携帯端末
３６１・・・     操作部
３６２・・・     記憶部
【図１】
2011094292.tif 000003
【図２】
2011094292.tif 000004